(57)【要約】【課題】空間を区画するパネルにおいて、パネルの厚さ寸法及び重量を大きく増大させることなく、パネルが区画する空間からの電磁波の漏洩に起因する情報の漏洩防止を図るとともに、パネルにより反射されて受信装置に向かう不要な電磁波により情報通信に用いられる電磁波の受信が妨害されることに起因する通信エラーの発生を抑える。【解決手段】電磁波を反射する機能を有する面材４２及び前記面材４２の一方の面に隣接して設けられる芯材である石膏ボード４３を備えたパネル本体４１と、前記石膏ボード４３の前記面材４２と反対側の面に隣接して設けられ、電磁波を吸収する電磁波吸収シート４４とを具備する電磁波吸収パネル４を用いる。【選択図】図４
2005009082.tif 000002
【特許請求の範囲】
【請求項１】
電磁波を反射する機能を有する面材及び前記面材の一方の面に隣接して設けられる芯材を備えたパネル本体と、前記芯材の前記面材と反対側の面に隣接して設けられ電磁波を吸収する電磁波吸収シートとを具備することを特徴とするパネル。
【請求項２】
前記電磁波吸収シートを、導電性素材の粒子を塗布ないし浸透させた不織布により形成していることを特徴とする請求項１記載のパネル。
【請求項３】
前記芯材の厚さ寸法を、情報通信に用いられ、室内に存在する電磁波の前記芯材中における波長の４分の１としていることを特徴とする請求項１又は２記載のパネル。
【請求項４】
前記パネル本体の面材を板金により形成しているとともに、その幅方向の両端部を前記芯材を設けた側に折り返して折り返し部を形成し、この折り返し部にも前記電磁波吸収シートを隣接させ、さらに前記電磁波吸収シートに隣接させて裏打材を有する表面材を貼付していることを特徴とする請求項１、２又は３記載のパネル。
【請求項５】
請求項１、２、３又は４記載のパネルを少なくとも一部に備えているとともに、前記電磁波吸収シートを、室内における情報通信が行われる空間に向けて配置していることを特徴とする間仕切装置。
【請求項６】
１対のパネルをその厚み方向に離間させて配置し、パネル間に配線などを挿通する空間を形成しているものであって、前記パネルの少なくとも一方に請求項１、２、３又は４記載のパネルを用いていることを特徴とする請求項５記載の間仕切装置。
【請求項７】
高さ寸法が天井面から床面までの高さ寸法と略または完全に一致することを特徴とする請求項５又は６記載の間仕切装置。
【請求項８】
ローパーティション装置ないしデスクトップパネル装置としての機能を有することを特徴とする請求項５又は６記載の間仕切装置。
【発明の詳細な説明】
【０００１】
【発明の属する技術分野】
本発明は、一方の面側からの電磁波を吸収する機能を有するパネル、及びこのようなパネルを用いた間仕切装置に関する。
【０００２】
【従来の技術】
近年、無線ＬＡＮ等、電磁波を介した室内における情報通信の普及に伴い、電磁波の傍受による情報の漏洩が問題となっている。このような問題に対応する手段として、電磁波を遮断する機能を有する電磁シールド部材を配置した間仕切装置を設け、外部への電磁波の漏出を防ぐ方法が考えられる。ところが、電磁波を遮断する機能を有する間仕切装置を設けると、このような間仕切装置により反射された電磁波により電磁波の受信が妨害されるといった通信エラーが起こりやすくなる。
【０００３】
このような不具合を解消すべく、間仕切装置に広く用いられている石膏ボードを備えるパネルの表面に、電磁波を吸収する電磁波吸収材を隣接して設けて電磁波を吸収する性能を間仕切装置に備えさせることにより、上述したような通信エラーの発生を抑えることが考えられている（例えば、特許文献１、２を参照）。
【０００４】
【特許文献１】
特開２００３−１３５１５号公報
【特許文献２】
特開２００３−１３５２２号公報
【０００５】
【発明が解決しようとする課題】
ところが、前記特許文献１のように、従来間仕切装置のパネルに広く用いられているような石膏ボードを備えるパネルの外面にこのような電磁波吸収材をさらに隣接して設けると、間仕切装置全体としての厚さ寸法が増大してしまう。また、特許文献２の構成では、電磁波吸収層を含む電磁波吸収材を面板状のパネルに形成し、このパネル２枚を対にして厚さ寸法に離間して支柱に支持させているとともに、このパネルの内側に石膏ボードを隣接して設けるようにしているが、パネル間に配線等を配置する空間を設ける際に、前記空間が石膏ボードの厚み分だけ狭くなってしまい、配線等を挿通させる際の空間を十分確保できなくなる不具合が生じる。
【０００６】
さらに、前記特許文献１及び２のいずれの構成においても、間仕切装置全体としての重量もまた電磁波吸収材の分だけ増大するので、このようなパネル及び電磁波吸収部材を支柱等の構造体に支持させる際に、パネル又は電磁波吸収部材と構造体との係合部に大きな負荷がかかる不具合も生じ得る。
【０００７】
そこで、本発明では、従来の間仕切装置に用いられるパネルからの最小限の設計変更により電磁波を吸収する機能を有するパネルを形成し、パネルの厚さ寸法及び重量を大きく増大させることなく、情報の漏洩防止を図るとともに通信エラーの発生を抑えることを図るものである。
【０００８】
【課題を解決するための手段】
すなわち、本発明に係るパネルは、電磁波を反射する機能を有する面材及び前記面材の一方の面に隣接して設けられる芯材を備えたパネル本体と、前記芯材の前記面材と反対側の面に隣接して設けられ電磁波を吸収する電磁波吸収シートとを具備することを特徴とする。
【０００９】
このような構成のものであると、前記電磁波吸収シートに到達した電磁波が吸収されるだけでなく、パネル本体の芯材が前記板材と前記電磁波吸収シートとを離間させるスペーサとして機能し、電磁波吸収シートに直接到達した電磁波と前記芯材を通過し前記面材により反射されて前記電磁波吸収シートに到達した電磁波とが干渉して減衰するので、このパネルの前記面材と反対側の面側の空間において電磁波を介した情報通信を行う際に、前記面材により反射されて前記空間内部の受信装置に向かう不要な電磁波が減少する。従って、電磁波の吸収のみを行う態様と比較して、不要な電磁波により情報通信に用いられる電磁波の受信が妨害されることに起因する通信エラーの発生をさらに効果的に防ぐことができる。
【００１０】
また、このようなパネルは、一般的な材料により面材及び芯材を構成した従来のパネルと同様の構成のパネル本体と、例えば厚さ寸法が前記面材と同程度の薄い部材により形成された電磁波吸収シートとを利用して、形成することができるので、最小限の設計変更により、上述したような機能を有するパネルを実現できる。さらに、電磁波吸収シートが薄いシート状の部材により形成されているので、パネルの厚さ寸法及び重量を大きく増大させることなく上述した効果を得ることができる。加えて、パネル本体が従来のパネルと同様の構成を利用できるので、このようなパネルを従来のパネルと交換して配置することもまた容易に行うことができる。
【００１１】
このようなパネルの具体的な実施の一態様として、前記電磁波吸収シートを、導電性素材の粒子を塗布ないし浸透させた不織布により形成しているものが挙げられる。
【００１２】
前記面材により反射されて前記電磁波吸収シートに到達した電磁波を、前記電磁波吸収シートに直接到達した電磁波と干渉させることにより減衰させる効果を最大限に得るための構造としては、前記芯材の厚さ寸法を、情報通信に用いられ、室内に存在する電磁波の前記芯材中における波長の４分の１としているものが挙げられる。このようなものであれば、前記電磁波吸収シートに直接到達する電磁波と面材により反射された電磁波との間の行路差が波長の２分の１となり、これらの電磁波が干渉すると略完全に打ち消しあうからである。
【００１３】
このようなパネルの適所への利用の拡大を図るとともに、見栄えを整えるための態様として、前記パネル本体の面材を板金により形成しているとともに、その幅方向両端部を前記芯材を設けた側に折り返して折り返し部を形成し、この折り返し部にも前記電磁波吸収シートを隣接させ、さらに前記電磁波吸収シートに隣接させて裏打材を有する表面材を貼付しているものが挙げられる。このようなものであれば、折り返し部を適所への取り付けのための取付部として利用できるとともに、面材の折り返し部の端部と芯材との間に生じる隙間を前記裏打材がある程度吸収し、このような表面材を貼付した面において前記隙間に起因する段差を目立たなくできるからである。
【００１４】
このようなパネルを好適に用いた間仕切装置としては、上述したようなパネルを少なくとも一部に備えているとともに、前記電磁波吸収シートを、室内における情報通信が行われる空間に向けて配置しているものが挙げられる。
【００１５】
このように間仕切装置を構成すると、上述したようなパネルにおいて、室内における情報通信が行われる空間内部に設置した情報の発信元である発信装置からの電磁波が前記電磁波吸収シートに直接到達して吸収されるとともに、前記面材により反射され再び前記電磁波吸収シートに到達した電磁波と前記電磁波吸収シートに直接到達した電磁波とが干渉して減衰し、前記面材により反射されて前記空間内部の受信装置に向かう不要な電磁波が減少する。従って、前記空間からの情報の漏洩を防ぐだけでなく、不要な電磁波により情報通信に用いられる電磁波の受信が妨害されることに起因する通信エラーを起こしにくくできる。しかも、上述したようなパネルのパネル本体は従来のパネルと略同様の構成を有するので、このようなパネルを支持する支柱等の構造体もまた従来の間仕切装置と同様に構成でき、従って、このような間仕切装置は従来のパネルを上述したようなパネルに交換するだけで容易に実現できる。なお、「電磁波吸収シートを、室内における情報通信が行われる空間に向けて配置する」とは、前記電磁波吸収シートと前記空間との間にパネルの表面を形成する表面材を介在させる場合も含む。
【００１６】
このような間仕切装置をさらに有効に機能させる態様として、１対のパネルをその厚み方向に離間させて配置し、パネル間に配線などを挿通する空間を形成しているものであって、前記パネルの少なくとも一方に上述したようなパネルを用いているものが挙げられる。このような構成であれば、間仕切装置全体としての厚さ寸法は従来のパネルと略変わらない上に、従来のものと比較して、パネル間の空間を大きくとることができ、この空間に、電源ケーブルや情報ケーブルなどの配線を効果的に配置できるだけでなく、病院や研究機関等に用いる際には、酸素ガス等の流体を運搬するパイプ類もまた効果的に配置できる。加えて、パネル間の空間を大きくとることができることから、外部への音の漏れないし外部からの音の侵入を有効に防ぐこともできるようになる。
【００１７】
さらに、高さ寸法が天井面から床面までの高さと略または完全に一致するものであれば、このような間仕切装置により形成される空間内部において、前記パネルの面材により反射された電磁波は直接パネルに到達する電磁波と干渉して大きく減衰するので、情報の漏洩を略完全に防ぐとともに、前記空間内において有効に電磁波を介した情報通信を行うことができるようになる。
【００１８】
一方、上述したようなパネルを用いているものであれば、ローパーティション装置ないしデスクトップパネル装置としての機能を有する間仕切装置においても、前記パネルの面材により反射された電磁波は直接パネルに到達する電磁波と干渉して大きく減衰するので、上述した効果をある程度得ることが可能である。
【００１９】
【発明の実施の形態】
以下、本発明の一実施形態を、図面を参照して説明する。
【００２０】
本実施形態に係るパネルたる電磁波吸収パネル４を適用した間仕切装置１は、内部において電磁波を介した情報通信を行う空間Ｓ１を区画するのに用いられ、全体斜視図を図１、縦断面図を図２、横断面図を図３に示すように、支柱２と、この支柱２に幅方向両端部を支持される第１のパネル３と、同じく前記支柱２に幅方向両端部を支持される電磁波吸収パネル４と、下端部において前後面を形成する巾木５とを具備する。前記第１のパネル３と電磁波吸収パネル４は対をなすとともに、互いに厚さ方向に離間している。そして、前記空間Ｓ１から遠い側に第１のパネル３、前記空間Ｓ１に近い側に電磁波吸収パネル４を配置していて、これら第１のパネル３と電磁波吸収パネル４との間に電源ケーブルや情報ケーブル等を配置するための配線挿通空間Ｓ２を形成している。なお、この配線挿通空間Ｓ２には、病院や研究機関等において用いられる際には、酸素ガス等の流体を運搬するパイプ類も配置できるようにしている。なお、本実施形態では、電磁波を介した情報通信としては、発信装置としてパーソナルコンピュータに接続した無線ＬＡＮカード（図示略）、受信装置として前記無線ＬＡＮカードからの電磁波を受信する機能を有するルータないしリピータアンテナ（図示略）を用いるもの、またはその逆方向の通信を主に想定している。
【００２１】
支柱２は、床面Ｆから巾木５を介して起立して設けられ、本実施形態ではその上端部を天レール６を介して天井構造体ＳＳに固定している。すなわち、間仕切装置１の高さ寸法は、天井面ＳＬから床面Ｆまでの高さ寸法と略等しく設定している。また、アジャスタ２１を介して高さ寸法を可変に調整していて、より安定して床体ＦＦおよび天井体ＳＳに設置するようにしている。そして、前記第１のパネル３及び電磁波吸収パネル４の幅方向両端部に設けられた係合爪３ｋ、４ｋと係合可能な図示しない係合孔を設けていて、これら係合爪３ｋ、４ｋと前記係合孔とを係り合わせてこの支柱２に前記第１のパネル３及び電磁波吸収パネル４を取り付けるようにしている。すなわち、この支柱２は、前記電磁波吸収パネル４を支持する構造体である。なお、本実施形態では、前記第１のパネル３及び電磁波吸収パネル４は、間仕切装置１の高さ寸法の略全域にわたって設けられている。
【００２２】
第１のパネル３は、前記図２、前記図３、及び前記図３の要部を拡大して示した図である図４に示すように、板金、例えばスチールにより構成され、電磁波を反射する機能を有する面材３１に、芯材として石膏ボード３２を隣接させて設けている。また、前記面材３１の幅方向両端部には、石膏ボード３２を設けた側に２段階に折り曲げてなる平面視略Ｌ字状の折り返し部３１１を設けている。そして、この折り返し部３１１に、上下に所定ピッチで肉厚方向に開口する取付部たるスリット（図示略）を設けるとともに、このスリットに係合爪３ｋを設け、上述したように前記支柱２の係合孔と係り合わせるようにしている。すなわち、従来広く用いられているような、空間を区画するために用いられる間仕切装置の間仕切要素として用いられるパネルとして用いられているものと同様に構成されている。なお、前記スリットに臨む位置に芯材たる石膏ボード３２は存在しないように前記スリット及び前記石膏ボード３２を配置している。
【００２３】
しかして、電磁波吸収パネル４は、板金の幅方向両端部を折り返して構成した面材４２の一方の面である折り返し側の面に芯材として石膏ボード４３を隣接して設けているパネル本体４１と、前記石膏ボード４３の面材４２と反対側の面に隣接して設けられ、電磁波を吸収する電磁波吸収シート４４とを具備する。
【００２４】
具体的には、前記図２、図３、図４、及び幅方向一端部の横断面図である図５に示すように、前記パネル本体４１は、上述した第１のパネル３と略同様の構成、すなわち従来広く用いられているような、空間を区画するために用いられる間仕切装置の間仕切要素として用いられるパネルとして用いられているものと同様のものを利用している。さらに詳述すると、見かけ上第１のパネル３を表裏反転させたものと略同様の構成であり、板金、例えばスチールにより構成され、電磁波を反射する機能を有する面材４２に、芯材として石膏ボード４３を隣接させて設けている。また、この面材４２の幅方向両端部には、石膏ボード４３を設けた側に２段階に折り曲げてなる平面視略Ｌ字状の折り返し部４２１を設けている。さらに、この折り返し部４２１の先端部を面材４２が形成する表面に向かう方向にさらに屈曲させて突出部４２２を設けていて、この突出部４２２と石膏ボード４３とが隙間Ｓ３を挟んで対向するようにしている。そして、この電磁波吸収パネル４の面材４２が形成する表面の幅方向両端部に、上下に所定ピッチで肉厚方向に開口する取付部たるスリット（図示略）を設けるとともに、このスリットに係合爪４ｋを設けていて、上述したように前記支柱２の係合孔と係り合わせるようにしている。すなわち、この電磁波吸収パネル４の支柱２への取付構造は、上述した第１のパネル３への取付構造と略同様であり、従来広く用いられているような、空間を区画するために用いられる間仕切装置の間仕切要素として用いられるパネルの取付構造を利用できる。なお、本実施形態では、耐火性を得るべく、石膏ボード４３を芯材として用いているが、吸音性や軽量性等、電磁波を反射及び吸収する以外にパネルに要求する性能に応じて芯材の材質は種々に設定してよい。また、このパネル本体４１には、強度を確保すべく、上述したように折り返し部４２１の先端部をさらに屈曲させて突出部４２２を設けているが、この突出部４２２を省略し、上述した第１のパネル３と全く同一の構成のものをパネル本体として用いてもかまわない。さらに、なお、前記スリットに臨む位置に芯材たる石膏ボード４３は存在しないように前記スリット及び前記石膏ボード４３を配置している。そして、本実施形態では、石膏ボード４３の厚さ寸法は１２．５ｍｍに設定しているが、この厚さ寸法は適宜設定してよい。
【００２５】
前記電磁波吸収シート４４は、図示はしないが、予め導電性素材である炭素の微細粒子を浸透させた不織布上に、炭素の粒子を略密に敷き詰め、さらに前記炭素の粒子を不織布により覆うことにより形成している。また、この電磁波吸収シート４４は、電磁波吸収パネル４の幅方向の略全域にわたって設けている。すなわち、石膏ボード４３の前記面材４２と反対側の面、及び前記面材４２の折り返し部４２１に隣接して設けられている。そして、電磁波吸収パネル４は、この電磁波吸収シート４４が設けられた側を前記第１のパネル３と背向させる向きに配置している。また、この電磁波吸収シート４４の厚さ寸法は、前記面材４２と略同程度に設定している。なお、本実施形態では、前記炭素の微細粒子を浸透させた不織布を、石膏ボード４３に隣接する側に配置している。また、炭素の粒子は、１平方メートル当たり２２０ｇの割合で敷き詰めるようにしているが、この割合は希望する電磁波吸収率などを考慮して適宜設定してもよい。
【００２６】
さらに、本実施形態では、前記電磁波吸収シート４４のさらに外側、すなわち前記石膏ボード４３と反対側に、見栄えを整えるべく表面材４５を隣接させて設けている。この表面材４５は、前記図５に示すように、電磁波吸収パネル４の一表面を形成する表面部４５１と、この表面部４５１と前記電磁波吸収シート４４又は面材４２との間に介在させる裏打材４５２とを接着して形成している。そして、石膏ボード４３に対して前記電磁波吸収シート４４が設けられた側の面、すなわちこの表面材４５の表面部４５１により形成される表面を、情報通信を行う空間Ｓ１に向けて配置している。
【００２７】
このように構成した間仕切装置１により区画される空間Ｓ１の内部で電磁波を介した情報通信が行われると、電磁波吸収シート４４及び表面材４５が設けられた面側、すなわち前記空間Ｓ１内の発信装置から発せられた電磁波は、その一部は受信装置により受信され、残りは直接、又は空間Ｓ１内の他の物体に反射されてまず電磁波吸収シート４４に到達し、その一部は炭素の粒子によりジュール熱に変換される。次いで、電磁波吸収シート４４に到達したが吸収されなかった電磁波は、そのまま石膏ボード４３を通過して面材４２に到達し、面材４２により反射される。反射された電磁波は、石膏ボード４３内を引き返して、再び電磁波吸収シート４４に到達する。そして、その一部は上述したように炭素の粒子によりジュール熱に変換されるが、その他の部分は電磁波吸収シート４４に直接到達した電磁波と干渉し、電磁波の強度が減衰する。なお、本実施形態では、前記電磁波吸収パネル４による２．４ＧＨｚ帯の電磁波の吸収量は２０ｄＢである。すなわち、２．４ＧＨｚ帯の電磁波においては、この電磁波吸収パネル４により反射されて空間Ｓ１に戻る電磁波の強度は、この電磁波吸収パネル４に到達する電磁波のわずか１％である。一方、この電磁波吸収パネル４の他方の面側、すなわち前記空間Ｓ１の外部からの電磁波は、前記第１のパネル３の面材３１及び前記電磁波吸収パネル４の面材４２により反射される。
【００２８】
以上のように、本実施形態では従来のパネルである第１のパネル３と略同様に構成されたパネル本体４１と、パネル本体４１に隣接する電磁波吸収シート４４とを電磁波吸収パネル４に備え、このような電磁波吸収パネル４をさらに間仕切装置１に備えているとともに、前記電磁波吸収シート４４を、間仕切装置１により区画され情報通信が行われる空間Ｓ１に向けて配置している。従って、パネル本体４１の石膏ボード４３が面材４２と電磁波吸収シート４４とを離間させるスペーサとして機能し、電磁波吸収シート４４に直接到達した電磁波と前記面材４２により反射された電磁波とを干渉させ、前記面材４２により反射されて前記空間Ｓ１内の受信装置に向かう不要な電磁波を減少させることができる。すなわち、電磁波の吸収のみを行う態様と比較して、不要な電磁波によって情報通信に用いられる電磁波の受信が妨害されることに起因する通信エラーが発生することをさらに効果的に防ぐことができる。また、この電磁波吸収パネル４は、一般的な材料により面材及び芯材を構成した従来のパネルと同様の構成のパネル本体４１をそのまま用い、このパネル本体４１に薄い電磁波吸収シート４４を隣接させて設けることにより形成できるので、最小限の設計変更により、上述したような機能を有するパネルを実現できる。加えて、パネル本体４１が従来のパネルと略同様の構成を有するので、支柱２もまた従来の間仕切装置に用いられるものと同一のものが使用でき、従来のパネルをこの電磁波吸収パネル４に交換することも容易に行うことができる。そして、電磁波吸収シート４４が面材４２と同程度の厚さ寸法を有する薄い部材であるので、このような電磁波吸収パネル４の厚さ寸法及び重量を従来のパネルと比較して大きく増大させることなく上述した効果を得ることができる。加えて、パネル間の空間を大きくとることができることから、外部への音の漏れないし外部からの音の侵入を有効に防ぐこともできるようになる。
【００２９】
また、薄い電磁波吸収シート４４により電磁波を吸収するようにしているので、前記間仕切装置１の第１のパネル３と電磁波吸収パネル４との間に形成した配線挿通空間Ｓ２を大きくとることもでき、電源ケーブルや情報ケーブルを効果的に配置できるだけでなく、病院や研究機関等にこのような間仕切装置１を用いる際には、この配線挿通空間Ｓ２に酸素ガス等の流体を運搬するためのパイプ類をも効果的に配置できる。
【００３０】
特に、本実施形態では、電磁波吸収シート４４を導電性素材である炭素の微細粒子を浸透させた不織布上にさらに炭素の微細粒子を略密に敷き詰めて形成しているので、このような電磁波吸収シート４４を簡単かつ安価に形成することができる。
【００３１】
加えて、前記電磁波吸収パネル４のパネル本体の面材４２を、幅方向両端部を一方向に折り返して折り返し部４２１を形成した金属板により構成しているとともに、前記電磁波吸収シート４４にさらに隣接させて裏打材４５２を有する表面材４５を貼付しているので、前記裏打材４５２が面材４２の折り返し部４２１と石膏ボード４３との間の隙間Ｓ３をある程度吸収し、このような表面材４５を貼付した面において前記隙間Ｓ３に起因する段差を目立たなくでき、電磁波吸収パネル４の見栄えを整えることができる。
【００３２】
また、金属板により構成した面材４２と前記空間Ｓ１との間に前記電磁波吸収シート４４及び石膏ボード４３が介在するので、このように構成した電磁波吸収パネル４による吸音効果を向上させることができる。
【００３３】
そして、間仕切装置１の高さ寸法を天井面ＳＬから床面Ｆまでの高さ寸法と略等しくしているので、空間Ｓ１内において生じる電磁波の略全部を吸収することができ、このような間仕切装置１内の空間Ｓ１においてさらに効果的に空間Ｓ１内からの情報漏洩を防ぐ効果、及び上述したような通信エラーの発生を抑える効果を得ることができる。
【００３４】
なお、本発明における構成は、以上に述べた実施の形態に限定されない。
【００３５】
例えば、高さ寸法を天井面から床面間での高さ寸法に略ないし完全に一致させた間仕切装置でなく、ローパーティションパネル装置やデスクトップパネル装置等、高さ寸法が天井面から床面間での高さ寸法よりも小さい間仕切装置の間仕切要素として上述した実施形態における電磁波吸収パネル４を用いても、前記電磁波吸収シート４４に到達した電磁波は吸収されるか又は干渉を受けて減衰するので受信装置に向かう不要な電磁波は減少し、上述した実施形態に係る効果を部分的には得ることができる。
【００３６】
また、上述した実施形態における電磁波吸収パネル４と同様に構成したパネル１枚のみを間仕切要素として有する間仕切装置や、支柱２の両面に電磁波吸収パネル４が設けられた間仕切装置であっても、前記パネルの電磁波吸収シートが向かう側の空間において、該空間内の情報通信に用いられる電磁波が前記電磁波吸収シートにより吸収されるとともに、面材により反射された電磁波が電磁波吸収シートに直接到達した電磁波と前記電磁波吸収シートないしその近傍の位置において干渉して減衰し、受信装置に向かう不要な電磁波を減少させることができる。すなわち、前記空間からの情報の漏洩防止を図ることができるだけでなく、不要な電磁波により情報通信に用いられる電磁波の受信が妨害されることに起因する通信エラーの発生を起こりにくくできる。さらに、前記電磁波吸収パネル４と同様に構成したパネルを建築壁体に隣接させて配置する態様においても、前記効果を得ることができる。加えて、前記電磁波吸収パネル４をと同様に構成したパネルを上述した実施形態における支柱２や前記建築壁体以外の構造体に支持させるようにしてもよい。
【００３７】
さらに、石膏ボード４３の厚さ寸法を、情報通信に用いられる電磁波の石膏ボード４３内における波長の４分の１に設定するとなおよい。このようなものであれば、電磁波吸収シート４４に直接到達した電磁波と、一旦電磁波吸収シート４４及び石膏ボード４３を通過して面材４２により反射され再び石膏ボード４３内を通過して電磁波吸収シート４４に到達した電磁波との行路差が前記波長の２分の１となり、電磁波は干渉により略打ち消されるからである。ただし、芯材の厚さ寸法は、前記電磁波の芯材内における波長の４分の１に対して誤差があっても、芯材をスペーサとして機能させ、電磁波吸収シートに直接到達した電磁波と芯材を通過した電磁波とを干渉させて減衰させる効果をある程度得ることはできる。
【００３８】
そして、電磁波吸収シートは、電磁波をジュール熱に変換する効果や電磁波を散乱させる効果を有するシート状の部材であれば、種々に構成してよい。
【００３９】
加えて、合成樹脂等、硬質材料により形成された化粧板を表面材として電磁波吸収シートに隣接して設けるようにしても、上述した実施形態に用いられたような面材の折り返し部と芯材との間に隙間を有するパネル本体を用いた場合において、パネルの表面を整えることができる。
【００４０】
その他、パーソナルコンピュータに接続した無線ＬＡＮカードやハブを用いるもの以外の室内において電磁波を介して行う情報通信、例えばコードレス電話を用いた通話等を情報の漏洩を防ぎつつ効率よく行うための手段として本発明を適用してもよい。これ以外にも、本発明の趣旨を損ねない範囲で、種々に変形してよい。
【００４１】
【発明の効果】
本発明に係るパネルは、電磁波を反射する機能を有する面材と芯材とを有するパネル本体と、このパネル本体に隣接させて電磁波を吸収する電磁波吸収シートを備えているので、パネル本体の芯材が前記面材と前記電磁波吸収シートとを離間させるスペーサとして機能し、電磁波吸収シートに直接到達した電磁波と前記面材により反射されて前記電磁波吸収シートに到達した電磁波とが干渉して減衰する。このパネルの前記面材と反対側の面側の空間において電磁波を介した情報通信を行う際に、前記面材により反射されて前記空間内部の受信装置に向かう不要な電磁波が減少する。従って、電磁波の吸収のみを行う態様と比較して、不要な電磁波により情報通信に用いられる電磁波の受信が妨害されることに起因する通信エラーの発生をさらに効果的に防ぐことができる。また、このようなパネルは、一般的な材料により面材及び芯材を構成した従来のパネルと同様の構成のパネル本体をそのまま用い、このパネル本体に薄い部材により形成された電磁波吸収シートを隣接させて設けることにより形成できるので、最小限の設計変更により、上述したような機能を有するパネルを実現できる。さらに、電磁波吸収シートが薄いシート状の部材により形成されているので、パネルの厚さ寸法及び重量を大きく増大させることなく上述した効果を得ることができる。加えて、パネル本体が従来のパネルと同様の構成を有するので、このようなパネルに従来のパネルと交換して配置することもまた容易に行うことができる。
【図面の簡単な説明】
【図１】本発明における一実施形態を適用した間仕切を示す全体斜視図。
【図２】同実施形態に係る間仕切の縦断面図。
【図３】同実施形態に係る間仕切の横断面図。
【図４】図３における要部を拡大して示した図。
【図５】同実施形態に係る電磁波吸収パネルの幅方向一端部の横断面図。
【符号の説明】
１…間仕切装置
４…電磁波吸収パネル
４１…パネル本体
４２…面材
４３…石膏ボード
４４…電磁波吸収シート
４５…表面材
４５２…裏打材
【図１】
2005009082.tif 000003
【図２】
2005009082.tif 000004
【図３】
2005009082.tif 000005
【図４】
2005009082.tif 000006
【図５】
2005009082.tif 000007